(57)【要約】【課題】  本発明は装置が大型化せず省スペースで設置でき、また、羽根板を曲げることなく洗浄できるようにするブラインド洗浄装置及びブラインド洗浄方法を提供する。【解決手段】  ブラインド洗浄装置Ｓは、洗浄液貯留容器１と、収容部構成体２と、ポンプ３と、加熱装置４を備えている。収容部構成体２は、骨枠２０と、この骨枠２０の周りを覆う遮断部２１を備えている。骨枠２０は柱体２００，２０１，２０２，２０３と、土台となる設置体２０４を備えている。柱体２００，２０１，２０２，２０３で囲まれた内側部分には、ブラインドを載せ置くブラインド載置部２２が形成してある。柱体２００と柱体２０１の側面には噴射口２３・・・が取り付けてある。ブラインドは、ブラインド載置部２２上に幅方向が縦向きになるよう立てた状態で、各羽根板が揺動または振動可能な状態になるよう設置される。【選択図】        図１
2005253691.tif 000002
【特許請求の範囲】
【請求項１】
層状のブラインドの洗浄装置であって、上記ブラインドに洗浄液を噴射する噴射手段を備えており、当該噴射手段は、各羽根板が揺動または振動可能なよう畳んだ状態のブラインドの各羽根板間に洗浄液が流れ込むよう向けてあることを特徴とする、
ブラインド洗浄装置。
【請求項２】
層状のブラインドの洗浄装置であって、
上記ブラインドを畳んだ状態で設置するブラインド設置手段と、
上記ブラインドに洗浄液を噴射する噴射手段と、
を備えており、
ブラインド設置手段は、各羽根板が揺動または振動可能な状態で上記ブラインドが設置できるよう構成してあり、噴射手段は洗浄液が各羽根板間に流れ込むよう向けてあることを特徴とする、
ブラインド洗浄装置。
【請求項３】
層状のブラインドの洗浄装置であって、
上部が開口した洗浄液貯留容器と、
洗浄液貯留容器内に立設され、収容部が外部と区画されるよう構成してある収容部構成体と、
上記ブラインドを畳んだ状態で収容部構成体の収容部内に設置するブラインド設置手段と、
上記ブラインドに洗浄液を噴射する噴射手段と、
洗浄液貯留容器内に溜めた洗浄液が噴射手段から噴射されるよう送液するポンプと、
を備えており、
ブラインド設置手段は、各羽根板が揺動または振動可能な状態で上記ブラインドが設置できるよう構成してあり、噴射手段は洗浄液が各羽根板間に流れ込むよう向けてあることを特徴とする、
ブラインド洗浄装置。
【請求項４】
噴射手段から噴射される洗浄液を加熱する加熱手段を備えていることを特徴とする、
請求項１，２または３記載のブラインド洗浄装置。
【請求項５】
ブラインドは幅方向が縦向きになるよう立てた状態で設置されることを特徴とする、
請求項１，２，３または４記載のブラインド洗浄装置。
【請求項６】
噴射手段は設置したブラインドに対応するよう上部から下部に向かって複数箇所に設けてあり、下部側に設けてある間隔の方が上部側に設けてある間隔より広くなるよう設定してあることを特徴とする、
請求項５記載のブラインド洗浄装置。
【請求項７】
層状のブラインドの洗浄方法であって、各羽根板が揺動または振動可能なよう畳んだ状態のブラインドの各羽根板間に洗浄液を噴射することを特徴とする、
ブラインド洗浄方法。
【発明の詳細な説明】
【技術分野】
【０００１】
本発明は層状のブラインドの洗浄装置及び洗浄方法に関する。更に詳しくは、装置が大型化せず、省スペースで設置できるものに関する。また、羽根板を曲げることなく洗浄できるものに関する。
【背景技術】
【０００２】
従来、複数の羽根板を層状に設けて構成したブラインドの洗浄は、ブラシやたわし等を使って手作業で行われていることが多い。しかし、手作業による洗浄は、相当な手間と時間がかかる。そこで、例えば、特許文献１に示すようなブラインド洗浄装置が開発されている。
【０００３】
特許文献１には、羽根板を降ろしたブラインドを洗浄液が充填された洗浄タンク内に吊り下げて入れ、この状態でブラインドを上下方向に小刻みに動かすことで、羽根板の表面に洗浄タンク内に設けたブラシを当てて擦るブラインド洗浄装置が開示されている。
【０００４】
【特許文献１】特開昭６３−１４５６２０号公報
【発明の開示】
【発明が解決しようとする課題】
【０００５】
しかし、上記した従来のブラインド洗浄装置には、次のような課題があった。
即ち、上記した洗浄装置は、洗浄タンク内に羽根板を降ろしたブラインドを吊り下げて入れる構造を有するので、設置に当たってはブラインドの横幅以上のスペースが必要であった。また、洗浄タンクはブラインドが羽根板を降ろした状態で収容できるようにするために、相当の深さを有するよう形成されていた。つまり、従来の洗浄装置は大型化しており、設置に際しては広いスペースが必要であった。
【０００６】
また、ブラインドは  上下方向に動かして羽根板の表面をブラシで擦っていたので、羽根板を繋ぐ紐を切ってしまうことがあった。更には、ブラシが擦る力によって羽根板を曲げてしまうこともあった。
【０００７】
本発明の目的は、装置が大型化せず、省スペースで設置できるブラインド洗浄装置及びブラインド洗浄方法を提供することにある。
また、羽根板を曲げることなく洗浄できるブラインド洗浄装置及びブラインド洗浄方法を提供することにある。
【課題を解決するための手段】
【０００８】
上記目的を達成するために講じた本発明の手段は次のとおりである。
第１の発明にあっては、
層状のブラインドの洗浄装置であって、上記ブラインドに洗浄液を噴射する噴射手段を備えており、当該噴射手段は、各羽根板が揺動または振動可能なよう畳んだ状態のブラインドの各羽根板間に洗浄液が流れ込むよう向けてあることを特徴とする、
ブラインド洗浄装置である。
【０００９】
第２の発明にあっては、
層状のブラインドの洗浄装置であって、
上記ブラインドを畳んだ状態で設置するブラインド設置手段と、
上記ブラインドに洗浄液を噴射する噴射手段と、
を備えており、
ブラインド設置手段は、各羽根板が揺動または振動可能な状態で上記ブラインドが設置できるよう構成してあり、噴射手段は洗浄液が各羽根板間に流れ込むよう向けてあることを特徴とする、
ブラインド洗浄装置である。
【００１０】
第３の発明にあっては、
層状のブラインドの洗浄装置であって、
上部が開口した洗浄液貯留容器と、
洗浄液貯留容器内に立設され、収容部が外部と区画されるよう構成してある収容部構成体と、
上記ブラインドを畳んだ状態で収容部構成体の収容部内に設置するブラインド設置手段と、
上記ブラインドに洗浄液を噴射する噴射手段と、
洗浄液貯留容器内に溜めた洗浄液が噴射手段から噴射されるよう送液するポンプと、
を備えており、
ブラインド設置手段は、各羽根板が揺動または振動可能な状態で上記ブラインドが設置できるよう構成してあり、噴射手段は洗浄液が各羽根板間に流れ込むよう向けてあることを特徴とする、
ブラインド洗浄装置である。
【００１１】
第４の発明にあっては、
噴射手段から噴射される洗浄液を加熱する加熱手段を備えていることを特徴とする、
第１，第２または第３の発明に係るブラインド洗浄装置である。
【００１２】
第５の発明にあっては、
ブラインドは幅方向が縦向きになるよう立てた状態で設置されることを特徴とする、
第１，第２，第３または第４の発明に係るブラインド洗浄装置である。
【００１３】
第６の発明にあっては、
噴射手段は設置したブラインドに対応するよう上部から下部に向かって複数箇所に設けてあり、下部側に設けてある間隔の方が上部側に設けてある間隔より広くなるよう設定してあることを特徴とする、
第５の発明に係るブラインド洗浄装置である。
【００１４】
第７の発明にあっては、
層状のブラインドの洗浄方法であって、各羽根板が揺動または振動可能なよう畳んだ状態のブラインドの各羽根板間に洗浄液を噴射することを特徴とする、
ブラインド洗浄方法である。
【００１５】
層状のブラインドとしては、例えば、羽根板を横にして縦方向に並べて構成したベネシアン（ベネシャン）ブラインドや、羽根板を縦にして横方向に並べて構成したバーチカルブラインドを挙げることができる。また、羽根板は、ルーバー、スラット、よろい板とも称される。
【００１６】
本発明に係るブラインド洗浄装置及びブラインド洗浄方法は、畳んだブラインドを幅方向が縦向きになるよう立てたり、幅方向が横向きになるよう寝かせたりして設置できる。
【００１７】
ブラインドに付着する汚れとしては、例えば、塵埃、食べ物や飲み物の付着後等が挙げられるが、これは限定するものではない。
【００１８】
（作  用）
本発明に係るブラインド洗浄装置は、各羽根板が揺動または振動可能なよう畳んだ状態のブラインドの各羽根板間に洗浄液が流れ込むよう噴射して洗浄する。
【００１９】
洗浄液貯留容器と収容部構成体を備えたものは、ブラインドを畳んだ状態でブラインド設置手段によって収容部内に設置し、ポンプを使用して噴射手段により洗浄液を噴射して洗浄する。
【００２０】
加熱手段を備えたものは、洗浄液を加熱して洗浄効果が高くできる。
【００２１】
ブラインドを幅方向が縦向きになるよう立てた状態で設置するものは、ブラインド洗浄装置の設置面積が小さい。
【００２２】
下部側に設けてある噴射手段の間隔の方が上部側に設けてあるものより間隔が広くなるよう設定してあるものは、ブラインドを幅方向が縦向きになるよう立てて設置した場合に、噴射した洗浄液がブラインドを伝って下方に流れ落ち、この伝って流れ落ちる洗浄液によっても塵埃等の汚れが落ちる。従って、この場合では噴射手段の数が減らせる。
【００２３】
本発明に係るブラインド洗浄方法は、各羽根板が揺動または振動可能なよう畳んだ状態のブラインドの各羽根板間に洗浄液を噴射して洗浄する。
【発明の効果】
【００２４】
本発明は上記構成を備え、次の効果を有する。
（ａ）本発明によれば、各羽根板が揺動または振動可能なよう畳んだ状態のブラインドの各羽根板間に洗浄液を噴射して洗浄するので、装置が小型化できる。従って、例えば、ブラインドが取り付けてある場所（現場）等に直接持ち込んで、その場で作業することもでき、活用範囲が広がる。特に、ブラインドを幅方向が縦向きになるよう立てた状態で設置するものは、少ないスペースで設置可能である。
【００２５】
（ｂ）本発明によれば、洗浄に際してブラシ等のように擦るものを使用しないので、例えば、羽根板を繋ぐ紐を切ってしまったり、羽根板を曲げてしまうこともない。つまり、洗浄作業によってブラインドを損傷させない。
【００２６】
（ｃ）加熱手段を備えたものは、洗浄液を加熱して洗浄効果が高くできる。
【００２７】
（ｄ）下部側に設けてある噴射手段の間隔の方が上部側に設けてあるものより間隔が広くなるよう設定してあるものは、ブラインドを幅方向が縦向きになるよう立てて設置した場合に、噴射した洗浄液がブラインドを伝って下方に流れ落ち、この伝って流れ落ちる洗浄液によっても塵埃等の汚れが落ちる。従って、この場合では噴射手段の数が減らせる。
【発明を実施するための最良の形態】
【００２８】
本発明の実施の形態を図面に基づき更に詳細に説明する。
図１は本発明に係るブラインド洗浄装置の一実施の形態を示す斜視説明図、
図２は図１に示すブラインド洗浄装置にブラインドを設置した状態を示す正面視断面説明図、
図３は図１に示すブラインド洗浄装置にブラインドを設置した状態を示す側面視断面説明図である。
図１において層状のブラインドは想像線で記載している。
ブラインド洗浄装置Ｓは、洗浄液貯留容器１と、洗浄するブラインド以上の高さを有する収容部構成体２と、洗浄液貯留容器１に溜めた洗浄液を収容部構成体２内に噴射するためのポンプ３と、洗浄液を加熱する加熱手段である加熱装置４を備えている。
【００２９】
洗浄液貯留容器１は、平面視略正方形状の上部が開口した箱形状を有している。洗浄液貯留容器１を構成する側壁は、四面のすべてが下方に向けてやや窄まるように形成してある。また、所要の一側壁の下部側には、内外部を連通するホース接続口１０が水密に設けてある。洗浄液貯留容器１の内部には洗浄液が貯留される。洗浄液貯留容器１は合成樹脂製のものを使用した。
【００３０】
収容部構成体２は、骨枠２０と、この骨枠２０の周りを覆うよう設けられ、内部の収容部２５と外部とを区画する遮断部２１を備えている。
骨枠２０は、四本の直線状の柱体２００，２０１，２０２，２０３と、各柱体の下端部に設けてあり土台となる設置体２０４を備えている。各柱体２００，２０１，２０２，２０３は、所要間隔を設けて四箇所に垂設してある。
【００３１】
柱体２００と柱体２０１の間には、長さ方向（高さ方向）に所要間隔を設けて四箇所に架設体２０５・・・が架け渡してある。また、柱体２０２と柱体２０３の間には、最下部に設けられた架設体２０５と略同じ高さの箇所に架設体２０６が架け渡してある。柱体２００と柱体２０２の上端部間には、架設体２０７が架け渡してある。また、柱体２０１と柱体２０３の上端部間には、架設体２０８が架け渡してある。架設体２０５，２０６，２０７，２０８は合成樹脂製の小径管で形成してある。
【００３２】
更に詳しく説明する。骨枠２０は、一本の合成樹脂製の小径管を略直角に曲げて平行な直線部とそれを繋ぐ直線部とを有する設置体２０４（平面視略「凵」型形状）と、更に曲げて略平行な柱体２００と柱体２０１を構成しており、この小径管の表面に、柱体２０２と架設体２０７を構成するよう略直角に曲げた小径管と、柱体２０３と架設体２０８を構成するよう略直角に曲げた小径管を接続することで構成してある。従って、設置体２０４と柱体２０２、２０３は内部が連通していない。また、架設体２０５，２０６も柱体２００，２０１，２０２，２０３の表面に接続してあるだけであり、柱体とは連通していない。柱体２００や柱体２０１を構成する小径管は、両端部が水密に閉塞してある。なお、柱体２０２と架設体２０７を構成するものや、柱体２０３と架設体２０８を構成するものは、中実体を使用することもできる。
【００３３】
架設体２０５と架設体２０６の間には、ブラインドを載せ置くブラインド載置部２２が設けてある。ブラインド載置部２２は、架設体２０５と架設体２０６の間に、合成樹脂製の小径管で形成した二本の架設体２２０，２２０を所要間隔を設けて架け渡し、その間に合成樹脂製の長方形板状の載置板２２１を設けて形成してある。ブラインド載置部２２や架設体２０５はブラインド設置手段を構成する。
【００３４】
柱体２００と柱体２０１の側面には、小径管の内外部を連通するよう噴射手段である噴射口２３・・・がそれぞれ複数個ずつ取り付けてある。具体的には、柱体２００と柱体２０１にそれぞれ八箇所ずつ取り付けてある。各噴射口２３は、ブラインド載置部２２上に載せたときのブラインドに向けて噴射されるよう設定してある。また、各噴射口２３は、洗浄液がやや下向きの方向に噴射されるよう設定してある。各噴射口２３は、洗浄液が略円錐形状に拡がって噴射されるものを使用している（図２，図３参照）。
【００３５】
噴射口２３・・・は、柱体２００，２０１の上部側に設けられたものの間隔より下部側に設けられたものの間隔の方が広くなるように取り付けてある。具体的には、上部から六個は略同じ間隔で取り付けてあり、七個目と八個目については上記間隔よりやや広い間隔で取り付けてある。
【００３６】
設置体２０４のうち柱体２０２と柱体２０３の間にあたる部分には、設置体２０４の内部と連通するホース接続口２４が設けてある。
【００３７】
収容部構成体２の遮断部２１は、内部の収容部２５と外部とを区画するよう、透明な合成樹脂製の柔軟性を有するシート材を骨枠２０の周りに被覆して構成してある。
更に詳しく説明する。柱体２００，２０１，２０２，２０３の周りに、この柱体２００，２０１，２０２，２０３の全長よりやや短い幅のシート材２１０を一部に重なり部２１１ができるよう巻き付け、更に、別体のシート材を箱状に形成したものを、柱体２００，２０１，２０２，２０３の周りに巻いた上記シート材２１０の上部側と一部が重なるよう被冠している。シート材２１０で形成した重なり部２１１は開いてブラインドを収容部２５に出し入れするときの出入口部となる。
【００３８】
収容部構成体２は、骨枠２０の設置体２０４を洗浄液貯留容器１内の底部上に置き、遮断部２１を構成するシート材２１０の下端部が洗浄液貯留容器１内に設けられるようにして設置される。
【００３９】
符号３で示すポンプには、一端が洗浄液貯留容器１のホース接続口１０と接続してある吸込ホース３０の他端が接続してある。洗浄液貯留容器１内の洗浄液は、ポンプ３によって吸込ホース３０から吸い込まれる。
【００４０】
加熱装置４は、加熱するヒーターと、ヒーターと接して設けてある蛇管と、蛇管に流れ込む前の洗浄液の温度を検出し、予め設定した温度になるようヒーターを制御する温度検出制御装置を備えている。温度検出制御装置は、ポンプ３から送られる洗浄液の取込部分近傍に内蔵してある。
【００４１】
ポンプ３と加熱装置４は送液ホース３１で繋いであり、加熱装置４を通った洗浄液は、ホース接続口２４と接続してある送液ホース３２により設置体２０４内に送られるようにしてある。
洗浄液は、６０℃以上の温度にはならないように設定した。しかし、これは限定するものではなく、洗浄液の温度は任意に設定可能である。
なお、ポンプ３及び加熱装置４は公知技術のものを使用したので、詳細な説明は省略する。
【００４２】
本実施の形態において骨枠２０を構成する小径管は合成樹脂製のものを使用したが、これは限定するものではなく、例えば、金属、木、竹、これら（合成樹脂を含む）の複合物で形成することできる。
【００４３】
本実施の形態において遮断部２１は、柔軟性を有する透明な合成樹脂製のシート材を使用したが、これは限定するものではなく、例えば、柔軟性を備えない材料で形成することもできる。また、透明でなく例えば、半透明、不透明なものを使用することもできる。更に、材料も例えば、金属、木、竹、これら（合成樹脂を含む）の複合物で形成することもできる。
【００４４】
また、本実施の形態では噴射口２３を柱体にそれぞれ八箇所ずつ設けたが、これも限定するものではなく、噴射口は任意の数設けることができる。また、洗浄液は略円錐形状に拡がって噴射されるものを使用したが、これも限定するものではない。更に、噴射する洗浄液の向きも下向きに限定するものではなく、例えば、略水平方向、上向きに設定可能である。更にまた、噴射口の間隔についても特に限定するものではない。
【００４５】
（作  用）
図１ないし図３を参照し、使用方法を交えながらブラインド洗浄装置Ｓの作用を説明する。
まず、ブラインド洗浄装置Ｓに、畳んだブラインドＢを幅方向が縦向きになるよう立てた状態で設置する。更に詳しく説明する。遮断部２１を構成するシート材２１０の重なり部２１１を開いたところからブラインドＢを収容部２５に入れ、羽根板が載置板２２１の長さ方向に重なる向きにして、ブラインド載置部２２の載置板２２１上に載せる。そして、紐等を利用して架設体２０５に括り付けて設置される。このとき紐等は、ブラインドＢに対して緩く掛けて、各羽根板の間に羽根板が揺動または振動する隙間ができる状態にする。
【００４６】
ブラインドＢを設置した後、再びシート材２１０を重ね、遮断部２１を外部と区画する。
【００４７】
洗浄液貯留容器１内に洗浄液を所要量入れて、ポンプ３及び加熱装置４を作動させる。
ポンプ３により洗浄液貯留容器１内の洗浄液は、ホース接続口１０から吸い込まれ、吸込ホース３０を通って送液ホース３１に送られる。送液ホース３１を通った洗浄液は、温度検出制御装置によって温度が測られる。このとき洗浄液の温度が６０℃未満であれば、、蛇管内に流れ込んだときヒーターによって加熱されるよう、また６０℃以上であれば加熱されないようヒーターが制御される。蛇管を通って送液ホース３２に送られ、ホース接続口２４から設置体２０４内に入り、柱体２００，２０１に送られて各噴射口２３からブラインドＢに向けて噴射される。
【００４８】
噴射された洗浄液は、揺動または振動可能な状態の各羽根板間に流れ込むよう向けて噴射される。これにより洗浄液が羽根板の間に入り込んで表面の塵埃（汚れ）等を落とす。また、洗浄液は、略円錐形状に拡がって、やや下向きの方向に噴射するよう設定してあるので、ブラインドＢの全体に満遍なく、しかも水平方向に噴射した場合よりも広い範囲にわたって噴射される。更に、洗浄液は加熱されているので、温度の低い状態のものを噴射した場合より洗浄効果が高い。
【００４９】
ブラインドＢに噴射された洗浄液は、落とした塵埃と共にブラインドＢを伝って下方に流れ落ちる。また、羽根板等の塵埃は、伝って流れ落ちる洗浄液によっても落ちる。これによりブラインド洗浄装置Ｓでは塵埃の落とし残しが生じ難くなり、このため柱体２００，２０１に設ける下部側の噴射口２３については、上部側に設けるものよりも間隔を拡げた状態で取り付けて、噴射口２３の数を減らしている。
【００５０】
収容部２５内で噴射された洗浄液は、洗浄液貯留容器１内に溜まる。
塵埃を落とした洗浄液は、再びホース接続口１０より吸い込まれ、吸込ホース３０から送液ホース３１，３２に送られ、各噴射口２３からブラインドＢに向けて噴射される。なお、ホース接続口１０からホース接続口２４までの所要の箇所には、塵埃が噴射口２３等に詰まることを防止する濾過装置（フィルター）を設けても良い。濾過装置は公知技術のものを使用する。
洗浄液は、収容部２５が遮断部２１によって外部と区画されているので、遮断部２１の外部には漏れない。
【００５１】
こうして洗浄液を循環させて使用し、ある程度塵埃が落ちたところでポンプ３及び加熱装置４を停止させる。
そして、洗浄液貯留容器１内に溜まった汚れた洗浄液を棄て、代わりに清浄な水を入れる。
【００５２】
再び、ポンプ３及び加熱装置４を作動させて、同じように水を噴射口２３・・・から噴射することにより、ブラインドＢに付着していた洗浄液を洗い流す。なお、この作業では加熱装置４は作動させなくても良い。
【００５３】
このようにブラインド洗浄装置Ｓによれば、ブラインドＢを畳んでおり、しかも幅方向が縦向きになるよう立てた状態で羽根板等に付着した塵埃等を落とすことができるので、装置を小型化することができ、少ないスペースで設置可能である。従って、例えば、ブラインドが取り付けてある場所（現場）等に直接持ち込んで、その場で作業することもでき、活用範囲が広がる。
【００５４】
また、ブラインド洗浄装置Ｓは、洗浄に際してブラシ等のように擦るものを使用しないので、例えば、羽根板を繋ぐ紐を切ってしまったり、羽根板を曲げてしまうこともない。つまり、洗浄作業によってブラインドＢを損傷させない。
【００５５】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００５６】
【図１】本発明に係るブラインド洗浄装置の一実施の形態を示す斜視説明図。
【図２】図１に示すブラインド洗浄装置にブラインドを設置した状態を示す正面視断面説明図。
【図３】図１に示すブラインド洗浄装置にブラインドを設置した状態を示す側面視断面説明図。
【符号の説明】
【００５７】
Ｓ  ブラインド洗浄装置
Ｂ  ブラインド
１  洗浄液貯留容器
１０  ホース接続口
２  収容部構成体
２０  骨枠
２００  柱体
２００，２０１，２０２，２０３  柱体
２０４  設置体
２０５，２０６，２０７，２０８  架設体
２１  遮断部
２１０  シート材
２１１  重なり部
２２  ブラインド載置部
２２０  架設体
２２１  載置板
２３  噴射口
２４  ホース接続口
２５  収容部
３  ポンプ
３０  吸込ホース
３１  送液ホース
３２  送液ホース
４  加熱装置
【図１】
2005253691.tif 000003
【図２】
2005253691.tif 000004
【図３】
2005253691.tif 000005